【手続補正書】
【提出日】平成20年9月8日(2008.9.8)
【手続補正１】
【補正対象書類名】特許請求の範囲
【補正対象項目名】全文
【補正方法】変更
【補正の内容】
【特許請求の範囲】
【請求項１】
極低温流体を浮き船と第２の場所との間で運搬するシステムであって、
ａ）第１の端部及び第２の端部を備えた第１の極低温立上り管であって、前記第１の端部の垂直位置を変化させることができるように構成され、前記第２の端部が水域内に位置すると共に前記第２の場所と流体連通状態にあり、少なくとも一部が断熱されている第１の極低温立上り管と、
ｂ）前記第１の立上り管の前記第１の端部に連結された第１の水中タレットコネクタであって、前記水域上に位置する第１の浮き船に解除自在に連結されるように構成され、極低温流体を前記第１の船と前記第１の立上り管の前記第１の端部との間で送ることができるように構成され、前記第１のコネクタの垂直位置を変化させることができるよう前記水域の底に係留され、前記第１の船が前記第１のコネクタに連結されている状態で前記第１の船を前記水域の表面上で前記第１のコネクタ回りに回転させることができるように構成されている第１の水中タレットコネクタと、を備えている、
ことを特徴とするシステム。
【請求項２】
第１の端部及び第２の端部を備えたパイプライン極低温流体導管を更に有し、該パイプライン導管の前記第１の端部は、前記第１の立上り管の前記第２の端部と流体連通状態にあり、前記パイプライン導管の前記第２の端部は、前記第２の場所と流体連通状態にあり、前記パイプライン導管は、少なくとも一部が前記水域内に浸漬されている、請求項１記載のシステム。
【請求項３】
前記パイプライン導管は、少なくとも一部が断熱されている、請求項２記載のシステム。
【請求項４】
前記第１の立上り管は、第１の立上り管流体導管及び第２の立上り管流体導管を含み、前記第１の立上り管導管の第１の端部及び前記第２の立上り管導管の第１の端部は、前記第１のコネクタに取り付けられ、前記第１の立上り管導管の第２の端部及び前記第２の立上り管導管の第２の端部は、前記パイプライン導管と流体連通状態にある、請求項３記載のシステム。
【請求項５】
ジャンパ流体導管を更に有し、該ジャンパ導管は、前記第１の立上り管導管と前記第２の立上り管導管との間を流体連通させる経路となっている、請求項４記載のシステム。
【請求項６】
前記ジャンパ流体導管は、前記第１のコネクタ内に設けられ又は前記第１の立上り管導管と前記第２の立上り管導管との間に設けられている、請求項５記載のシステム。
【請求項７】
前記パイプライン導管は、第１のパイプライン流体導管及び第２のパイプライン流体導管で構成され、前記第１のパイプライン導管の第１の端部は、前記第１の立上り管導管の前記第２の端部と流体連通状態にあり、前記第２のパイプライン導管の第１の端部は、前記第２の立上り管導管の前記第２の端部と流体連通状態にあり、前記第１のパイプライン導管の第２の端部及び前記第２のパイプライン導管の第２の端部は、前記第２の場所と流体連通状態にあり、それにより、前記ジャンパ流体導管と一緒になって、極低温流体の循環に適した流体導管ループを構成している、請求項５記載のシステム。
【請求項８】
前記ジャンパ流体導管は、前記第１のパイプライン導管と前記第２のパイプライン導管との間に設けられていること特徴とする請求項７記載のシステム。
【請求項９】
前記流体導管ループは、前記第１の船が前記第１のコネクタから切り離されている状態で、極低温流体を前記第２の場所から前記第１のパイプライン導管、第２のパイプライン導管、前記第１の立上り管導管、前記第２の立上り管導管及び前記ジャンパ導管を通って前記第２の場所に循環して戻すようになっている、請求項７記載のシステム。
【請求項１０】
循環極低温流体導管を更に有し、該循環流体導管は、前記第１のコネクタに連結されていて、前記第１の立上り管の前記第１の端部と流体連通状態にある第１の端部及び前記パイプライン導管上の箇所と流体連通状態にある第２の端部を有し、それにより、極低温流体の循環に適した流体導管ループを構成している、請求項２記載のシステム。
【請求項１１】
前記第１の立上り管は、前記第１の立上り管の前記第１の端部と前記第２の端部との間の垂直距離を変化させるようになっている、請求項２記載のシステム。
【請求項１２】
前記第１の立上り管は、可撓性立上り管である、請求項１１記載のシステム。
【請求項１３】
前記第１の立上り管は、ホース、剛性パイプ、可撓性パイプ又は関節継手のうち１つ又は２つ以上を有する、請求項１２記載のシステム。
【請求項１４】
前記第１のコネクタは、前記水域の表面よりも下の箇所で前記第１の船に連結されるようになっている、請求項２記載のシステム。
【請求項１５】
前記第１のコネクタは、前記水域の表面よりも上の箇所で前記第１の船に連結されるようになっている、請求項２記載のシステム。
【請求項１６】
前記第２の場所は、施設を含む、請求項２記載のシステム。
【請求項１７】
前記施設は、前記水域上に位置する第２の浮き船である、請求項１６記載のシステム。
【請求項１８】
前記施設は、陸上構造物である、請求項１６記載のシステム。
【請求項１９】
第２の水中タレットコネクタを更に有し、該第２のコネクタは、前記第２の浮き船に解除自在に連結されるようになっていて、流体を前記第１の船と前記第２の船との間で送ることができるようになっており、前記第２のコネクタは、前記第２の船が前記第２のコネクタに連結されている状態で前記第２の船を前記水域の表面上で前記第２のコネクタ回りに回転させることができるようになっている、請求項１７記載のシステム。
【請求項２０】
前記第２のコネクタは、前記第２の船に解除自在に連結されるようになっている、請求項１９記載のシステム。
【請求項２１】
前記第２のコネクタは、前記第２のコネクタの垂直位置を変化させることができるよう前記水域の底に係留されている、請求項２０記載のシステム。
【請求項２２】
前記第１の立上り管、前記パイプライン導管又はこれら両方は、熱伝導率が１．０Ｗ／ｍ−℃（０．６Ｂｔｕ／ｈｒ−ｆｔ−°Ｆ）未満の材料で断熱されている、請求項３記載のシステム。
【請求項２３】
前記第１の立上り管導管の前記第２の端部及び前記第２の立上り管導管の前記第２の端部は、マニホルドのところで前記パイプライン導管の前記第１の端部に連結されている、請求項４記載のシステム。
【請求項２４】
前記パイプライン導管の少なくとも一部は、前記水域の底上又はその下に設けられている、請求項２記載のシステム。
【請求項２５】
前記パイプライン導管は、前記水域中に吊り下げられている、請求項２記載のシステム。
【請求項２６】
前記マニホルドは、遮断弁を有する、請求項２３記載のシステム。
【請求項２７】
前記パイプライン導管は、スプリッタマニホルドを有し、該スプリッタマニホルドは、前記パイプライン導管上の箇所に連結された入口、前記第１のコネクタと流体連通状態にある第１の出口、及び前記水域上に位置する浮き船に解除自在に連結されるのに適した別の水中タレットコネクタと流体連通状態にある第２の出口を有する、請求項２記載のシステム。
【請求項２８】
前記第１のコネクタに連結されたメッセンジャーブイを更に有する、請求項１記載のシステム。
【請求項２９】
前記第１のコネクタの垂直位置を前記水域の表面から２０メートル以内に位置する第１の位置と、前記水域の表面よりも２０メートル以上下に位置する第２の位置との間で変化させることができる、請求項１記載のシステム。
【請求項３０】
前記第１の船は、前記第２の場所から１キロメートル以上離れて位置している、請求項１記載のシステム。
【請求項３１】
前記第１のコネクタは、浸漬タレット荷積みコネクタ又は浸漬タレット産出コネクタである、請求項１記載のシステム。
【請求項３２】
前記第１のコネクタは、複数本の流体導管を有する、請求項１記載のシステム。
【請求項３３】
前記第１の立上り管は、複数本の極低温流体導管で構成されている、請求項３２記載のシステム。
【請求項３４】
前記第１の浮き船は、浮き極低温流体貯蔵船である、請求項１記載のシステム。
【請求項３５】
前記第１の浮き船は、浮き運搬船である、請求項３４記載のシステム。
【請求項３６】
前記第１の立上り管、前記第１のコネクタ、及び前記パイプライン導管は、温度が−５０℃（−５８°Ｆ）よりも低い極低温流体を移送するようになっている、請求項２記載のシステム。
【請求項３７】
前記第１の立上り管、前記第１のコネクタ、及び前記パイプライン導管は、温度が−１００℃（−１４８°Ｆ）よりも低い極低温流体を移送するようになっている、請求項３６記載のシステム。
【請求項３８】
極低温流体を浮き船と第２の場所との間で運搬するシステムであって、
ａ）第１の端部及び第２の端部を備えた第１の極低温立上り管を有し、該第１の立上り管は、前記第１の立上り管の前記第１の端部の垂直位置を変化させることができるようになっており、前記第１の立上り管の前記第２の端部は、水域内に位置すると共に前記第２の場所と流体連通状態にあり、
ｂ）前記第１の立上り管の前記第１の端部に連結された第１の水中タレットコネクタを有し、該第１のコネクタは、前記水域上に位置する第１の浮き船に解除自在に連結されるようになっていて、極低温流体を前記第１の船と前記第１の立上り管の前記第１の管との間で送ることができるようになっており、前記第１のコネクタは、前記第１のコネクタの垂直位置を変化させることができるよう前記水域の底に係留されており、前記第１のコネクタは、前記第１の船が前記第１のコネクタに連結されている状態で前記第１の船を前記水域の表面上で前記第１のコネクタ回りに回転させることができるようになっており、
ｃ）第１の端部及び第２の端部を備えたパイプライン極低温流体導管を有し、該パイプライン導管の前記第１の端部は、前記第１の立上り管の前記第２の端部と流体連通状態にあり、前記パイプライン導管の前記第２の端部は、前記第２の場所と流体連通状態にあり、前記パイプライン導管は、少なくとも一部が前記水域内に浸漬されており、
前記第１の立上り管の少なくとも一部、前記パイプライン導管の少なくとも一部、又はこれら両方は、断熱されている、
ことを特徴とするシステム。
【請求項３９】
極低温流体を浮き船と第２の場所との間で運搬する方法であって、
ａ）極低温液体を極低温流体移送導管により第１の船と第２の場所との間で送る段階を有し、前記極低温流体導管は、
ｉ）第１の端部及び第２の端部を備えた第１の極低温立上り管を有し、該第１の立上り管は、前記第１の立上り管の前記第１の端部の垂直位置を変化させることができるようになっており、前記第１の立上り管の前記第２の端部は、水域内に位置すると共に前記第２の場所と流体連通状態にあり、前記第１の立上り管の少なくとも一部は、断熱されており、
ｉｉ）前記第１の立上り管の前記第１の端部に連結された第１の水中タレットコネクタを有し、該第１のコネクタは、前記水域上に位置する第１の浮き船に解除自在に連結されるようになっていて、極低温流体を前記第１の船と前記第１の立上り管の前記第１の端部との間で送ることができるようになっており、前記第１のコネクタは、前記第１のコネクタの垂直位置を変化させることができるよう前記水域の底に係留されており、前記第１のコネクタは、前記第１の船が前記第１のコネクタに連結されている状態で前記第１の船を前記水域の表面上で前記第１のコネクタ回りに回転させることができるようになっている、
ことを特徴とする方法。
【請求項４０】
極低温流体を浮き船と第２の場所との間で運搬する方法であって、
ａ）極低温液体を極低温流体移送導管により第１の船と第２の場所との間で送る段階を有し、前記極低温流体導管は、
ｉ）第１の端部及び第２の端部を備えた第１の極低温立上り管を有し、該第１の立上り管は、前記第１の立上り管の前記第１の端部の垂直位置を変化させることができるようになっており、前記第１の立上り管の前記第２の端部は、水域内に位置すると共に前記第２の場所と流体連通状態にあり、
ｉｉ）前記第１の立上り管の前記第１の端部に連結された第１の水中タレットコネクタを有し、該第１のコネクタは、前記水域上に位置する第１の浮き船に解除自在に連結されるようになっていて、極低温流体を前記第１の船と前記第１の立上り管の前記第１の端部との間で送ることができるようになっており、前記第１のコネクタは、前記第１のコネクタの垂直位置を変化させることができるよう前記水域の底に係留されており、前記第１のコネクタは、前記第１の船が前記第１のコネクタに連結されている状態で前記第１の船を前記水域の表面上で前記第１のコネクタ回りに回転させることができるようになっており、
ｉｉｉ）第１の端部及び第２の端部を備えたパイプライン極低温流体導管を有し、該パイプライン導管の前記第１の端部は、前記第１の立上り管の前記第２の端部と流体連通状態にあり、前記パイプライン導管の前記第２の端部は、前記第２の場所と流体連通状態にあり、前記パイプライン導管は、少なくとも一部が前記水域内に浸漬されており、
前記第１の立上り管の少なくとも一部、前記パイプライン導管の少なくとも一部、又はこれら両方は、断熱されている、
ことを特徴とする方法。
【請求項４１】
極低温流体を第１の場所と水域上に位置した浮き船との間で運搬する方法であって、
ａ）第１の浮き船を第１の水中タレットコネクタに連結する段階を有し、該第１のコネクタは、前記水域上に位置する第１の浮き船に解除自在に連結されるようになっていて、極低温流体を前記第１の船と前記第１の立上り管の前記第１の端部との間で送ることができるようになっており、前記第１のコネクタは、前記第１のコネクタの垂直位置を変化させることができるよう前記水域の底に係留されており、前記第１のコネクタは、前記第１の船が前記第１のコネクタに連結されている状態で前記第１の船を前記水域の表面上で前記第１のコネクタ回りに回転させることができるようになっており、
ｂ）極低温流体を前記第１の浮き船と前記第１のコネクタとの間で送る段階を有し、
ｃ）前記極低温流体を前記第１のコネクタと第１の端部及び第２の端部を備えた第１の極低温立上り管との間で送る段階を有し、前記第１の立上り管の前記第１の端部は、前記第１のコネクタに連結され、前記第１の立上り管の前記第２の端部は、水域中に位置すると共に前記第２の場所と流体連通状態あり、前記第１の立上り管は、前記第１の立上り管の前記第１の端部の垂直位置を変化させることができるようになっており、
ｄ）前記極低温流体を前記第１の立上り管と第１の端部及び第２の端部を備えたパイプライン極低温流体導管との間で送る段階を有し、該パイプライン導管の前記第１の端部は、前記第１の立上り管の前記第２の端部と流体連通状態にあり、前記パイプライン導管の前記第２の端部は、前記第２の場所と流体連通状態にあり、前記パイプライン導管は、少なくとも一部が前記水域内に浸漬されている、
ことを特徴とする方法。
【請求項４２】
前記第２の場所は、施設を含む、請求項４１記載の方法。
【請求項４３】
前記極低温流体は、前記第１の浮き船から前記施設に送られる、請求項４２記載の方法。
【請求項４４】
前記極低温流体は、前記施設から前記第１の浮き船に送られる、請求項４２記載の方法。
【請求項４５】
前記極低温流体は、前記施設から前記第１の浮き船に送られ、そして前記施設に戻される、請求項４２記載の方法。
【請求項４６】
ｅ）前記第１の浮き船を前記第１のコネクタから切り離す段階と、
ｆ）前記極低温流体を前記第１の浮き船に載せた状態で前記水域を越えて第３の場所に運搬する段階とを更に有する、請求項４４記載の方法。
【請求項４７】
ｇ）前記極低温流体を揮発させてガスにする段階を更に有する、請求項４６記載の方法。